【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
画像を符号化する方法において、
一連のアンダーサンプルされる少なくとも１つの画像によって分割される２つの画像Ｉt1及びＩt2を選択するステップと、
画像の光度表現を有意に最適化する第１の画像符号化方式を通じて、前記一連の画像の範囲を定める前記Ｉt1及びＩt2画像を符号化するステップと、
動きベクトルに影響を受けるノードで構成されたメッシュ網により定義される、少なくとも１つの動きベクトルのフィールドの決定に基づき、少なくとも２つの画像にわたる動きの表現を最適化する第２の画像符号化方式を通じて、前記一連の画像の各画像を符号化して、各画像がただ１つの符号化方式に従って符号化されるステップと、
を備えることを特徴とする画像を符号化する方法。
【請求項２】
前記符号化方式の中の１つの方式の選択を表す情報は、復号器によって、
・符号化と復号の段階において知られる、予め定められた選択と、
・少なくとも一部の符号化された画像データを含むデータフローに含まれる前記選択の表示情報と、
・符号化された画像データとは無関係なデータフローに含まれる前記選択を表す情報と、
・前記復号器が固有の仕方で前記選択を判定すること、から成るグループに属する技術の中の少なくとも１つに基づいて知られる、ことを特徴とする請求項１に記載の画像符号化方法。
【請求項３】
前記画像に適用する符号化方式を、少なくとも、
・画像の光度表現を十分に最適化する第１の符号化と、
・少なくとも２つの画像にわたる動きの表現を十分に最適化する第２の符号化と、の中から選択するステップを具備する、ことを特徴とする請求項１及び２のいずれかに記載の画像符号化方法。
【請求項４】
前記第２の符号化は、前記第１の符号化を使用して符号化された少なくとも１つの以前の画像及び／または少なくとも１つの以後の画像を考慮に入れる、ことを特徴とする請求項３に記載の画像符号化方法。
【請求項５】
前記第２の符号化は、前記第１の符号化を使用して符号化されたすぐ前の画像から計算される動きベクトル・フィールド及び／または前記第１の符号化を使用して符号化されたすぐ後の画像から計算される動きベクトル・フィールドを考慮に入れる、ことを特徴とする請求項４に記載の画像符号化方法。
【請求項６】
前記動きベクトル・フィールドはメッシュ網に適用される、ことを特徴とする請求項５に記載の画像符号化方法。
【請求項７】
前記動きベクトル・フィールドは、前記第２の符号化を使用して符号化された画像に関係した、推論された動きベクトル・フィールドを決定するために使用される、ことを特徴とする請求項５、６のいずれかに記載の画像符号化方法。
【請求項８】
前記第２の符号化は、画像Ｉt1と次の画像Ｉt2の間の事前動き推定と、該動き推定の間に得られたかつ対称変換を引き起こさない動きベクトルが、ｍが［ｔ１、ｔ２］に属するとしたときに少なくとも１つの画像Ｉm1を補間するために０＜ｋ＜１のスカラー値ｋ＝ｍ／（ｔ１＋ｔ２）によって重み付けされる動き補償の段階とを実行する、ことを特徴とする請求項５乃至７のいずれかに記載の画像符号化方法。
【請求項９】
前記第２の符号化は、画像Ｉt2と前の画像Ｉt1の間の事後動き推定と、該動き推定の間に得られたかつ対称変換を引き起こさない動きベクトルが、ｍが［ｔ１、ｔ２］に属するとしたときに少なくとも１つの画像Ｉm2を補間するために０≦ｋ’≦１のスカラー値ｋ’＝１−ｍ／（ｔ１＋ｔ２）によって重み付けされる動き補償の段階とを実行する、ことを特徴とする請求項５乃至７のいずれかに記載の画像符号化方法。
【請求項１０】
０≦ａ≦１としてＩm＝ａＥ１＋（１−ａ）Ｅ２なる推定画像Ｉmを得るために事後推定と事前推定を実行する、ことを特徴とする請求項８、９のいずれかに記載の画像符号化方法。
【請求項１１】
前記選択段階は、Ｎに１つの画像が前記第１の符号化を使用して符号化される固定因子Ｎのサブサンプリングの実施に基づく、ことを特徴とする請求項３乃至１０のいずれかに記載の画像符号化方法。
【請求項１２】
Ｎは２より大きい、ことを特徴とする請求項１１に記載の画像符号化方法。
【請求項１３】
Ｎは可変的である、ことを特徴とする請求項１１、１２のいずれかに記載の画像符号化方法。
【請求項１４】
前記第１の符号化は、画像ブロック上の変換とブロックによる時間的予測を実行する、ことを特徴とする請求項３乃至１１のいずれかに記載の画像符号化方法。
【請求項１５】
前記第１の符号化はＭＰＥＧ−４符号化またはＨ２６符号化である、ことを特徴とする請求項１４に記載の画像符号化方法。
【請求項１６】
ＭＰＥＧ−４符号化またはＨ２６符号化によって得られる画像はタイプＩ（intra）及び／またはタイプＰ（predicable）の画像を含む、ことを特徴とする請求項１５に記載の画像符号化方法。
【請求項１７】
前記第２の符号化は、Ｍを１以上としてＭ階の階層型メッシュ網に基づく、ことを特徴とする請求項３乃至１６のいずれかに記載の画像符号化方法。
【請求項１８】
前記メッシュ網は三角形型である、ことを特徴とする請求項１７に記載の画像符号化方法。
【請求項１９】
被覆領域の管理段階を具備する、ことを特徴とする請求項１７、１８のいずれかに記載の画像符号化方法。
【請求項２０】
別個の伝送経路で伝送することができる少なくとも２つのデータフローを作り出す、ことを特徴とする請求項１乃至１９のいずれかに記載の画像符号化方法。
【請求項２１】
前記データフローは、
グローバルヘッダと、
前記第１の符号化に基づいて符号化された画像データと、
前記第２の符号化に基づいて符号化された画像データと、
を含むグループに属する、ことを特徴とする請求項２０に記載の画像符号化方法。
【請求項２２】
請求項１乃至２１のいずれかに記載された符号化方法を使用して符号化された画像信号を復号するための画像復号方法。
【請求項２３】
請求項１乃至２１のいずれかに記載された符号化方法を使用して符号化された画像信号を符号化するための画像符号化装置。
【請求項２４】
請求項１乃至２１のいずれかに記載された符号化方法を使用して符号化された画像信号を復号するための画像復号装置。
【請求項２５】
符号化において実行されたのと同様に、ベクトル・フィールドの少なくとも一部及び／または被覆領域の少なくとも一部を判定するための手段を具備する、ことを特徴とする請求項２４に記載の画像復号装置。
【請求項２６】
請求項１乃至２１のいずれかに記載された符号化方法を使用して符号化された少なくとも１つの画像信号を記憶するための記憶装置。
【請求項２７】
請求項１乃至１７のいずれかに記載された符号化方法を使用して符号化された画像信号を符号化、伝送及び／または復号するためのシステム。
【請求項２８】
前記符号化方式の中の１つの方式の選択を表す情報は復号器によって、
・符号化と復号の段階において知られる、予め定められた選択と、
・少なくとも一部の符号化された画像データを含むデータフローに含まれる前記選択の表示情報と、
・符号化された画像データとは無関係なデータフローに含まれる前記選択の表示情報と、
・前記復号器が固有の仕方で前記選択を判定することと、
から成るグループに属する技術の中の少なくとも１つに基づいて知られる、ことを特徴とする請求項２７に記載のシステム。
【請求項２９】
請求項１乃至２１のいずれかに記載された符号化方法を使用して符号化された画像信号を符号化及び／または復号するためのコンピュータ・プログラム製品。
【請求項３０】
請求項１乃至２１のいずれかに記載された符号化方法を使用して符号化された画像信号を符号化及び／または復号するためのコンピュータ・プログラムを格納したデータ記憶媒体。
【請求項３１】
請求項１乃至２１のいずれかに記載された符号化方法に基づいて符号化されたデータを含む画像データ信号。
【請求項３２】
請求項１乃至２１のいずれかに記載された符号化方法が働いたか否かを特定する少なくとも１つの指標を含む請求項３１に記載の画像データ信号。
【請求項３３】
ビデオシーケンスの先頭及び／またはそれぞれの信号フレーム内に、フレーム構造を特定するデータ要素を含む、ことを特徴とする請求項３１、３２のいずれかに記載の画像データ信号。
【請求項３４】
前記第２の符号化を使用して符号化されたシーケンスは、この第２の符号化に基づいて符号化されたフレームの数を特定するヘッダから始まる、ことを特徴とする請求項３１乃至３３のいずれかに記載の画像データ信号。
【請求項３５】
別個の伝送経路で伝送することができる少なくとも２つのデータフローを含む、ことを特徴とする請求項３１乃至３４のいずれかに記載の画像データ信号。
【請求項３６】
前記データフローは、
グローバルヘッダと、
前記第１の符号化に基づいて符号化された画像データと、
前記第２の符号化に基づいて符号化された画像データと、
を含むグループに属する、ことを特徴とする請求項３５に記載の画像データ信号。
【請求項３７】
請求項１乃至２１のいずれかに記載された符号化方法を、
デジタルＴＶと、
ＩＰネットワーク上のリアルタイム・ビデオと、
移動体へのネットワーク上のリアルタイム・ビデオと、
画像データ保存と、を含むグループに属する領域の中の少なくとも１つの領域に適用することを特徴とする用途。
【手続補正２】
【補正対象書類名】明細書
【補正対象項目名】００５６
【補正方法】変更
【補正の内容】
【００５６】
３．  以下の３つの可能な方式の１つに基づく、これらのブランキング領域の特定の符号化：
・動き補償が伴わない参照画像（Ｎk、Ｎk+1、またはそれらの動きフィールドを使って動き補償されたこれらの画像）の１つによる予測、次いで予測誤差を三角メッシュ網・ベース技術を使って符号化する。
・イントラ画像動き補償（intra-image movement compensation）が伴う参照画像（Ｎk、Ｎk+1、またはそれらの動きフィールドを使って動き補償されたこれらの画像）の１つによる予測、次いで予測誤差を三角メッシュ網・ベース技術を使って符号化する。
・三角メッシュ網・ベース技術に基づくイントラ画像符号化（intra-image enco  ding）。